(57)【要約】【課題】腕に取り付けて使用するときでも、スピーカ部の放音方向を耳に向け、且つマイク部の集音方向を口元Ｋに向けることができ、これによりスピーカ部とマイク部との両方の指向性を十分に確保できるようにする。【解決手段】腕時計本体１を腕に装着するための時計バンド２のバンド止め具３に取り付けられた通信ケース４に、スピーカ部１０を時計バンド２の長手方向に対しほぼ直交する方向に向けて配置すると共に、マイク部１１を時計バンド２の表面に対しほぼ垂直方向に向けて配置した。従って、通信ケース４にスピーカ部１０とマイク部１１とを集約して設けてもハウリングを防ぐことができるほか、特に腕に装着して使用するときに、スピーカ部１０の放音方向を耳に向け、且つマイク部１１の集音方向を口元Ｋに向けることができ、このためスピーカ部１０とマイク部１１との両方の指向性を十分に確保することができる。【選択図】        図２
2004266328.tif 000002
【特許請求の範囲】
【請求項１】
機器本体と、
この機器本体を腕に装着するためのバンドと、
このバンドの所定個所に前記バンドの長手方向に対しほぼ直交する方向に向けて配置されたスピーカ部と、
前記バンドの前記所定個所に前記バンドの表面に対しほぼ垂直方向に向けて配置されたマイク部と、
を備えたことを特徴する腕装着型通信機器。
【請求項２】
前記バンドの前記所定個所には、前記スピーカ部と前記マイク部とを搭載する通信ケースが着脱可能に取り付けられていることを特徴する請求項１に記載の腕装着型通信機器。
【請求項３】
前記通信ケースは、前記機器本体を前記バンドによって腕に装着した状態のときに、その腕を挟んで前記機器本体と反対側に位置する個所に配置されていることを特徴とする請求項２に記載の腕装着型通信機器。
【請求項４】
前記機器本体には、少なくとも通信に必要な入力部および表示部が設けられているほか、時計機能部が設けられていることを特徴とする請求項３に記載の腕装着型通信機器。
【発明の詳細な説明】
【０００１】
【発明の属する技術分野】
この発明は、腕に装着して通信することのできる腕装着型通信機器に関する。
【０００２】
【従来の技術】
従来、腕装着型通信機器としては、腕時計に通信機能を持たせ、この腕時計を腕に装着するための時計バンドにスピーカとマイクとを設けた腕時計型電話機がある（例えば、特許文献１参照。）。
【０００３】
【特許文献１】
国際公開Ｗ０９８／０５１４８
【０００４】
このような腕時計型電話機は、時計バンドに腕時計とは別のケース体を時計バンドの幅方向に突出させて設け、このケース体の両端部にそれぞれスピーカとマイクとを互いに離反する反対側に向けて設け、これによりスピーカから放音された音をマイクが拾ってしまうという所謂ハウリングを防ぐように構成されている。
【０００５】
【発明が解決しようとする課題】
しかしながら、このような腕時計型電話機では、スピーカとマイクとが時計バンドの幅方向において互いに離反する反対側に向いているため、腕に取り付けて使用するときに、スピーカの放音方向を耳に向けると、マイクの集音方向を口元に向けることができず、逆にマイクの集音方向を口元に向けると、スピーカの放音方向を耳に向けることができず、このため十分な指向性が得られないという問題がある。
【０００６】
この発明の課題は、腕に取り付けて使用するときでも、スピーカ部の放音方向を耳に向け、且つマイク部の集音方向を口元に向けることができ、これによりスピーカ部とマイク部との両方の指向性を十分に確保できるようにすることである。
【０００７】
【課題を解決するための手段】
この発明は、上記課題を解決するために、次のような構成要素を備えている。
なお、各構成要素には、後述する実施形態の項で説明される各要素に付されている図面の参照番号などを括弧と共に付す。
請求項１に記載の発明は、図１〜図４に示すように、機器本体（腕時計本体１）と、この機器本体を腕に装着するためのバンド（時計バンド２）と、このバンドの所定個所に前記バンドの長手方向に対しほぼ直交する方向に向けて配置されたスピーカ部（１０）と、前記バンドの前記所定個所に前記バンドの表面に対しほぼ垂直方向に向けて配置されたマイク部（１１）とを備えたことを特徴する腕装着型通信機器である。
【０００８】
この発明によれば、バンドの所定個所にスピーカ部をバンドの長手方向に対しほぼ直交する方向に向けて配置すると共に、マイク部をバンドの表面に対しほぼ垂直方向に向けて配置したので、バンドの所定個所にスピーカ部とマイク部とを集約して設けてもハウリングを防ぐことができるほか、特に腕に装着して使用するときに、スピーカ部の放音方向を耳に向け、且つマイク部の集音方向を口元に向けることができ、このためスピーカ部とマイク部との両方の指向性を十分に確保することができる。
【０００９】
請求項２に記載の発明は、図１〜図４に示すように、前記バンド（時計バンド２）の前記所定個所（バンド止め具３）に、前記スピーカ部（１０）と前記マイク部（１１）とを搭載する通信ケース（４）が着脱可能に取り付けられていることを特徴する請求項１に記載の腕装着型通信機器である。
この発明によれば、通信ケースがバンドの所定個所に着脱可能に取り付けられていることにより、スピーカ部の放音方向が約１８０°異なる通信ケースを２種類用意すれば、右腕に装着して使用する場合と、左腕に装着して使用する場合とで通信ケースを交換することができ、このため右腕と左腕のいずれかに装着して使用する場合においても、スピーカ部とマイク部との両方の指向性を十分に確保することができ、このため使い勝手の良いものを得ることができる。
【００１０】
請求項３に記載の発明は、図１〜図４に示すように、前記通信ケース（４）が、前記機器本体（腕時計本体１）を前記バンド（時計バンド２）によって腕に装着した状態のときに、その腕を挟んで前記機器本体と反対側に位置する個所に配置されていることを特徴とする請求項２に記載の腕装着型通信機器である。
この発明によれば、通信ケースを手の平側に向けて腕に取り付ければ、手の平を耳に当てがうことにより、スピーカ部の放音方向を耳に向け、且つマイク部の集音方向を口元に向けることができ、このため腕を不自然に曲げる必要がなく、自然な状態で通信を行うことができる。
【００１１】
請求項４に記載の発明は、図１〜図４に示すように、前記機器本体（腕時計本体１）に、少なくとも通信に必要な入力部（入力スイッチ８）および表示部（６）が設けられているほか、時計機能部が設けられていることを特徴とする請求項３に記載の腕装着型通信機器である。
この発明によれば、機器本体に時計機能部が設けられているので、表示部に時刻などの情報を表示させることができ、このため通常の腕時計と同様、腕に装着して使用することができるほか、機器本体を腕から取り外すことなく、機器本体の表示部に通信情報などの情報を表示させることができると共に、この表示部を見ながら機器本体の入力部で入力操作することができ、これにより良好に通信操作を行うことができ、より一層、使い勝手の良いものを得ることができる。
【００１２】
【発明の実施の形態】
以下、図１〜図４を参照して、この発明の腕装着型通信機器を腕時計型通信機器に適用した一実施形態について説明する。
図１はこの発明の腕時計型通信機器を正面側から見た斜視図、図２はその裏面側から見た斜視図、図３は図２の要部を分解した斜視図、図４はその使用状態を示した図である。この腕時計型通信機器は、腕時計本体１と、この腕時計本体１を腕Ｕに取り付けるための時計バンド２と、この時計バンド２の両端を係脱可能に連結するバンド止め具３と、このバンド止め具３に着脱可能に取り付けられた通信ケース４とを備えている。
【００１３】
腕時計本体１は、図１に示すように、時計ケース５を備えている。この時計ケース５内には、時刻や通信情報などの各種の情報を電気光学的に適宜表示する液晶表示素子やＥＬ素子（エレクトロルミネッセンス素子）などからなる表示部６が設けられているほか、時計機能や通信機能に必要な各種の電子部品、例えば時計回路や送受信回路などを構成する電子部品（図示せず）が組み込まれている。また、時計ケース５の３時側および９時側の側面には、時刻修正やモード切り替えなどを行う時計用の複数の押釦スイッチ７が設けられており、この時計ケース５の６時側に位置する上面には、通信用の複数の入力スイッチ８が設けられている。
【００１４】
時計バンド２は、ウレタン樹脂などの弾性を有する合成樹脂からなり、図１および図２に示すように、その各一端部が時計ケース５の１２時側と６時側の各端部に取り付けられていると共に、時計バンド２の各他端部がバンド止め具３によって係脱可能に連結されるように構成されている。このバンド止め具３は、腕時計本体１を時計バンド２で腕Ｕに装着した状態のときに、その腕Ｕを挟んで腕時計本体１と反対側に位置する個所に設けられている。また、このバンド止め具３には、図２および図３に示すように、通信ケース４が着脱可能に取り付けられている。
【００１５】
すなわち、この通信ケース４は、ビス（図示せず）によってバンド止め具３に着脱可能に取り付けられる構成でも良いが、バンド止め具３に係止部（図示せず）を設け、この係止部によって係脱可能に取り付けられる構成でも良い。また、この通信ケース４には、図２に示すように、スピーカ部１０が時計バンド２の長手方向に対し直交する方向に向けて設けられていると共に、マイク部１１が時計バンド２の表面に対し垂直方向に向けて設けられている。また、この通信ケース４の内部には、図３に示すように、回路基板１２が設けられている。
【００１６】
スピーカ部１０は、図３に示すように、横向きの放音筒部１３とスピーカ１４とを備えている。放音筒部１３は、時計バンド２の長手方向に対し直交する方向に向いた状態で、その一端部が通信ケース４からその幅方向に突出し、他端部が通信ケース４内に開放され、この状態で通信ケース４に一体に形成されている。また、この放音筒部１３の突出した一端部には、放音孔１３ａが時計バンド２の長手方向に対し直交する方向、つまり通信ケース４の幅方向に向けて設けられており、この放音筒部１３の他端部側の内部には、スピーカ１４が放音孔１３ａに向けて設けられている。
【００１７】
マイク部１１は、図３に示すように、縦向きの集音筒部１５とマイクロホン１６とを備えている。集音筒部１５は、時計バンド２の表面に対し垂直方向に向いた状態で、その上端部が通信ケース４の上方に突出し、下端部が通信ケース４内に開放され、この状態で通信ケース４に一体に形成されている。また、この集音筒部１５の突出した上端部には、集音孔１５ａが時計バンド２の表面に対し垂直方向、つまり通信ケース４の上面に向けて設けられており、この集音筒部１５の内部には、マイクロホン１６が集音孔１５ａに向けて設けられている。
【００１８】
回路基板１２は、通信ケース４の内面に設けられた取付ボス１７にビスなどで取り付けられ、この状態でスピーカ１４およびマイクロホン１６がリード線（図示せず）によって電気的に接続されている。また、この回路基板１２は、時計バンド２内に埋め込まれた接続線（図示せず）によって腕時計本体１内の電子回路（図示せず）と電気的に接続されている。これにより、スピーカ１４は、腕時計本体１からの電気信号に基づいて音声などの音を発生し、マイクロホン１６は、外部の音声などの音を電気信号に変換して腕時計本体１に出力する。
【００１９】
次に、このような腕時計型通信機器を使用する場合について説明する。
この場合には、通常の腕時計と同様、時計バンド２を腕Ｕに当てがってバンド止め具３によって時計バンド２の各他端部を連結することにより、腕時計本体１を腕Ｕに取り付ける。このときには、腕時計本体１を手Ｔの甲Ｔａ側に向けて腕Ｕに取り付け、通信ケース４を手Ｔの平Ｔｂ側に向いて腕Ｕに取り付ける。これにより、通常の腕時計として使用することができると共に、携帯電話としても使用することができる。
【００２０】
すなわち、この状態では、腕時計本体１の表示部６に時刻などの情報が表示されるので、通常の腕時計と同様に時刻を知ることができる。また、携帯電話として通信する場合には、腕時計本体１の表示部６を見ながら通信用の入力スイッチ８を操作して通話相手にダイヤルすると、入力スイッチ８の操作に応じて表示部６に通信情報が表示され、通信相手を呼び出す。そして、図４に示すように、腕時計本体１が装着された腕Ｕの手Ｔの平Ｔｂを耳Ｍに当てがうと、スピーカ部１０の放音方向が耳Ｍに向き、且つマイク部１１の集音方向が口元Ｋに向く。このため、腕Ｕを不自然に曲げる必要がなく、自然な状態で通信を行うことができる。
【００２１】
このように、この腕時計型通信機器によれば、時計バンド２を連結するバンド止め具３に取り付けられた通信ケース４に、スピーカ部１０を時計バンド２の長手方向に対し直交する方向に向けて配置すると共に、マイク部１１を時計バンド２の表面に対し垂直方向に向けて配置したので、時計バンド２の所定個所つまりバンド止め具３の通信ケース４にスピーカ部１０とマイク部１１とを集約して設けてもハウリングを防ぐことができると共に、スピーカ部１０とマイク部１１との両方の指向性を十分に確保することができる。
【００２２】
この場合、時計バンド２のバンド止め具３に、スピーカ部１０とマイク部１１とを搭載する通信ケース４を着脱可能に取り付けたことにより、スピーカ部１０の放音方向が約１８０°異なる通信ケース４を２種類用意すれば、右腕に装着して使用する場合と、左腕に装着して使用する場合とで、通信ケース４を交換することができ、このため右腕と左腕とのいずれかに装着して使用する場合においても、スピーカ部１０とマイク部１１との両方の指向性を十分に確保することができ、このため使い勝手の良いものを得ることができる。
【００２３】
また、通信ケース４は、腕時計本体１を時計バンド２によって腕Ｕに装着した状態のときに、その腕Ｕを挟んで腕時計本体１と反対側に位置する個所に配置されているので、通信ケース４を手Ｔの平Ｔｂ側に向けて腕Ｕに取り付ければ、手Ｔの平Ｔｂを耳Ｍに当てがうだけで、スピーカ部１０の放音方向を耳Ｍに向け、且つマイク部１１の集音方向を口元Ｋに向けることができ、このため腕Ｕを不自然に曲げる必要がなく、自然な状態で通信ができる。
【００２４】
また、腕時計本体１には、通信に必要な入力スイッチ８および表示部６が設けられていると共に、時計機能部が組み込まれているので、上述したように表示部６に時刻などの情報を表示させることができ、このため通常の腕時計と同様、腕Ｕに装着して使用することができるほか、腕時計本体１を腕Ｕから取り外すことなく、腕時計本体１の表示部６に通信情報などの情報を表示させることができると共に、この表示部６を見ながら腕時計本体１の入力スイッチ８で入力操作することができ、これにより良好に通信操作を行うことができ、より一層、使い勝手の良いものを得ることができる。
【００２５】
さらに、この腕時計型通信機器では、通信ケース４がバンド止め具３に着脱可能に取り付けられているので、通信機器として使用しない場合には、バンド止め具３から通信ケース４を取り外すことにより、通常の腕時計として使用することができ、また通信ケース４にスピーカ部１０およびマイク部１１を搭載せずに、装飾用の通信ケース４としてバンド止め具３に取り付ければ、アクセサリとなり、デザイン的に好ましいものとなり、このため良好に使用することができ、これによっても使い勝手の良いものを得ることができる。
【００２６】
なお、上記実施形態では、通信ケース４にスピーカ部１０を時計バンド２の長手方向に対し直交する方向に向けて設けると共に、マイク部１１を時計バンド２の表面に対し垂直方向に向けて設けたが、これに限らず、腕Ｕに装着して手Ｔの平Ｔｂを耳Ｍに当てがったときに、スピーカ部１０の放音方向が耳Ｍに向くように、スピーカ部１０を時計バンド２の長手方向に対しほぼ直交する方向に設け、且つマイク部１１の集音方向が口元Ｋに向くように、マイク部１１を時計バンド２の表面に対しほぼ垂直方向に向けて設けた構造であっても良い。
【００２７】
また、上記実施形態では、腕時計本体１を時計バンド２で腕に装着する腕時計型通信機器に適用した場合について述べたが、これに限らず、例えば、送受信機能、表示部、および入力部を備えた通信機器本体をバンドで腕に装着する腕装着型通信機器にも適用することができる。この場合にも、バンドを連結するバンド止め具３にスピーカ部１０およびマイク部１１を備えた通信ケース４を着脱可能に取り付ければ良い。
【００２８】
【発明の効果】
以上説明したように、この発明によれば、機器本体を腕に装着するためのバンドの所定個所に、スピーカ部をバンドの長手方向に対しほぼ直交する方向に向けて配置すると共に、マイク部をバンドの表面に対しほぼ垂直方向に向けて配置したので、バンドの所定個所にスピーカ部とマイク部とを集約して設けてもハウリングを防ぐことができるほか、特に腕に装着して使用するときに、スピーカ部の放音方向を耳Ｍに向け、且つマイク部の集音方向を口元Ｋに向けることができ、このためスピーカ部とマイク部との両方の指向性を十分に確保することができる。
【００２９】
この場合、バンドの前記所定個所に、スピーカ部とマイク部とを搭載する通信ケースが着脱可能に取り付けられていることにより、スピーカ部の放音方向が約１８０°異なる通信ケースを２種類用意すれば、右腕に装着して使用する場合と、左腕に装着して使用する場合とで、通信ケースを交換することができ、このため右腕と左腕のいずれかに装着して使用する場合においても、スピーカ部とマイク部との両方の指向性を十分に確保することができ、このため使い勝手の良いものを得ることができる。
【００３０】
また、通信ケースが、機器本体をバンドによって腕に装着した状態のときに、その腕を挟んで機器本体と反対側に位置する個所に配置されていることにより、通信ケースを手Ｔの平Ｔｂ側に向けて腕に取り付ければ、手Ｔの平Ｔｂを耳Ｍに当てがうことにより、スピーカ部の放音方向を耳Ｍに向け、且つマイク部の集音方向を口元Ｋに向けることができ、このため腕を不自然に曲げる必要がなく、自然な状態で通信を行うことができる。
【００３１】
さらに、機器本体には、少なくとも通信に必要な入力部および表示部が設けられているほか、時計機能部が設けられていることにより、表示部に時刻などの情報を表示させることができ、このため通常の腕時計と同様、腕に装着して使用することができるほか、機器本体を腕から取り外すことなく、機器本体の表示部に通信情報などの情報を表示させることができると共に、この表示部を見ながら機器本体の入力部で入力操作することができ、これにより良好に通信操作を行うことができ、より一層、使い勝手の良いものを得ることができる。
【図面の簡単な説明】
【図１】この発明を腕時計型通信機器に適用した一実施形態を正面側から見た斜視図。
【図２】図１の腕時計型通信機器を裏面側から見た斜視図。
【図３】図２の要部を分解した斜視図。
【図４】図１の腕時計型通信機器の使用状態を示した図。
【符号の説明】
１  腕時計本体
２  時計バンド
３  バンド止め具
４  通信ケース
５  腕時計ケース
６  表示部
８  入力スイッチ
１０  スピーカ部
１１  マイク部
１２  回路基板
１３  放音筒部
１３ａ  放音孔
１４  スピーカ
１５  集音筒部
１５ａ  集音孔
１６  マイクロホン
【図１】
2004266328.tif 000003
【図２】
2004266328.tif 000004
【図３】
2004266328.tif 000005
【図４】
2004266328.tif 000006